(57)【要約】      （修正有）【課題】利用者が筆記ボードに筆記した筆記情報を簡単に記録装置に保存可能とする。【解決手段】筆記ボード１と、ＵＲＬ情報が示す記憶領域を備えた記憶装置９と、ＵＲＬ情報を送信するビーコン７と、ビーコンからＵＲＬ情報を受信する携帯端末８と、この携帯端末にインストールされ、筆記ボードの筆記画面を撮影した画像データをビーコンから受信したＵＲＬ情報が示す記憶領域に送信するアプリケーションプログラムと、を有する。【選択図】図１
2017215944.tif 000002
【特許請求の範囲】
【請求項１】
筆記ボードと、
ＵＲＬ情報が示す記憶領域を備えた記憶装置と、
前記ＵＲＬ情報を送信するビーコンと、
前記ビーコンから前記ＵＲＬ情報を受信する携帯端末と、
この携帯端末にインストールされ、前記筆記ボードの筆記画面を撮影した画像データを前記ビーコンから受信した前記ＵＲＬ情報が示す記憶領域に送信するアプリケーションプログラムと、
を有することを特徴とする筆記情報管理システム。
【請求項２】
前記ビーコンは、前記ＵＲＬ情報と共に、パスワード情報を送信することを特徴とする請求項１に記載の筆記情報管理システム。
【請求項３】
前記携帯端末は、前記記憶装置に画像データと、生成したパスワード情報と、を送信することを特徴とする請求項１に記載の筆記情報管理システム。
【請求項４】
前記携帯端末とは別の携帯端末から前記ＵＲＬ情報と、前記パスワード情報と、携帯端末識別情報と、を前記記憶装置に送信し、
前記記憶装置は、前記ＵＲＬ情報と前記携帯端末識別情報とを関連付けて記憶し、前記別の携帯端末の前記携帯端末識別情報が記憶されているか否かを判断し、記憶されていない場合に、前記ＵＲＬ情報と前記携帯端末識別情報とを関連付けて記憶し、前記画像データを前記別の携帯端末に送信することを特徴とする請求項２又は請求項３に記載の筆記情報管理システム。
【発明の詳細な説明】
【技術分野】
【０００１】
本発明は、例えば、会議室に設置された筆記ボードに筆記した会議情報を、共有管理するシステムに関するものである
【背景技術】
【０００２】
従来、筆記ボードに筆記した情報を管理するシステムとして、下記特許文献１が知られている。これは、ホワイトボード上の筆記をカメラで撮影した場合に、所定の領域を検索可能にして、撮影データを保持、管理するカメラアプリケーションに関するものである
【０００３】
このカメラアプリケーションは、共有機能についても開示しているが、この特許文献１の共有機能は、利用者が撮影画像を、任意の人にメール送信するというものである。
【先行技術文献】
【特許文献】
【０００４】
【特許文献１】特開２０１４−９８９４４号
【発明の概要】
【発明が解決しようとする課題】
【０００５】
筆記画像の共有について、上記のような構成の場合は、各利用者が筆記情報を管理するサーバーを選択して、そのサーバーのＵＲＬ情報を入力しなければならない。このシステムの利用者が、一人、或は数人の場合は、特に問題がないが、社員が１００人を超えるような場合、全ての携帯端末にＵＲＬを入力するのは容易なことではない。また、サーバーの変更を行う場合も、そのサーバーのＵＲＬの入力を、全ての携帯端末について再設定しなければならず、煩雑な作業となる。
【０００６】
本発明は、従来のように、利用者各人の携帯端末に、データ共有用のサーバーのＵＲＬを入力することなく、簡単に筆記データを管理することを可能とするものである。
【課題を解決するための手段】
【０００７】
上記課題を解決するため、本発明は、請求項１に記載するように、筆記情報管理システムであって、筆記ボードと、ＵＲＬ情報が示す記憶領域を備えた記憶装置と、前記ＵＲＬ情報を送信するビーコンと、前記ビーコンから前記ＵＲＬ情報を受信する携帯端末と、この携帯端末にインストールされ、前記筆記ボードの筆記画面を撮影した画像データを前記ビーコンから受信した前記ＵＲＬ情報が示す記憶領域に送信するアプリケーションプログラムと、を有することを特徴としている。
【０００８】
また、請求項２に記載するように、前記ビーコンは、前記ＵＲＬ情報と共に、ワンタイムパスワードを送信することを特徴としている。
【発明の効果】
【０００９】
本発明によれば、筆記ボードの筆記を、携帯端末のカメラで撮影して記録、保存するシステムにおいて、この撮影情報を記録する記憶装置のＵＲＬを利用者が調べる必要がなくなり、筆記情報管理システムの利便性を向上させることが可能となる。
【図面の簡単な説明】
【００１０】
【図１】図１は、本発明の実施例の形態に係る筆記情報管理システムの概要を示す図である。
【図２】図２は、本発明の実施例の形態に係るアプリケーションの初期画面を示す図である。
【図３】図３は、本発明の実施例の形態に係るアプリケーションの編集画面を示す図である。
【図４】図４は、第２実施形態に係る筆記情報管理システムの全体構成を示すブロック図である。
【図５】図５は、第２実施形態における携帯端末で撮影した画像データが記憶装置に記憶され、別の携帯端末の表示部に画像データが示す画像が表示される処理を示すフロー図のうち上段を示す図である。
【図６】図６は、第２実施形態における携帯端末で撮影した画像データが記憶装置に記憶され、別の携帯端末の表示部に画像データが示す画像が表示される処理を示すフロー図のうち下段を示す図である。
【発明を実施するための形態】
【００１１】
以下、本発明を実施するための最良の形態について、図面を参照して詳細に説明する。
【実施例１】
【００１２】
以下、図に沿って本発明の一実施例を説明する。
図１は本発明の一実施例の筆記情報管理システムを示す概念図である。１はホワイトボード本体であり、この本体１は、筆記面２と、この筆記面の上下左右の４端部を覆うフレーム３、このフレーム３及び筆記面２を回転可能に保持する一対の支柱４、一対の支柱４を連結する連結フレーム５に設けられたトレイ６で構成されている。本実施例では、このホワイトボード１の連結フレーム５に、ビーコン７が設けられている。
【００１３】
８は携帯端末であり、ホワイトボード１の筆記面２に筆記された筆記を、付属のカメラで撮影するのに用いられる。９は記憶装置であり、携帯端末８によって撮影された筆記情報を記録するために用いられる。ビーコン７には、この記憶装置９のＵＲＬが記録されており、このＵＲＬ情報は、所定の時間間隔でこのビーコン７から送信される。携帯端末８は、ビーコン７から所定の距離以内に位置すると、このビーコン７からの送信信号を受信する。
【００１４】
尚、記憶装置９への接続には、機密情報の保護のために、パスワードの入力が必要とされる。このパスワードは、ワンタイムパスワードシステムが用いられており、短期間に自動的に変更される。ビーコン７は、このワンタイムパスワードも、ＵＲＬ情報と共に、送信する。
【００１５】
続いて、本実施例のシステムの動作について説明する。
会議等が終了して、ホワイトボード１の筆記面２の筆記を撮影するために、携帯端末８にインストールされた筆記情報管理用のアプリケーションを起動すると、ビーコン７からの
送信信号が携帯端末８に受信される。尚、起動したアプリケーションの画面を図２に示す。筆記情報管理用アプリケーションの画面に配置された撮影ボタン１０を利用者がタップすると、撮影が行われる。
【００１６】
この筆記情報管理用アプリケーションは、前述の特許文献１と同様の機能が内蔵されており、撮影したデータは、台形補正等の処理が行われる。この画像処理が行われた後の撮影データは、携帯端末８内の記憶装置に記録されると共に、リスト表示部１１に表示される。撮影した画像が保存されたフォルダを選択して、編集ボタン１３をタップすると図３に示す画面が表示される。
【００１７】
撮影データが携帯端末８に記録された後に、この図３に示す画面に配置された共有ボタン１４を利用者がタップすると、ビーコン７から受信したＵＲＬの記録装置９に、撮影データとパスワードが送信される。記憶装置９は、受信したパスワードが、正しいと認識した場合、受信した撮影データを記録する。
【００１８】
ビーコン７による送信情報の受信可能距離、送信間隔は、ビーコン７に設けられた操作部によって変更が可能となっている。想定した会議室よりも広い会議室、或は狭い会議室において、本システムを利用する場合には、最適な受信可能距離、或は送信間隔に修正変更することができる。
【００１９】
尚、ビーコン７に無線装置を内蔵して、携帯端末８或はパーソナルコンピュータを用いて上記の受信可能距離、送信間隔を変更してもよい。また、ビーコン７に、例えばＵＳＢ等の接続端子を設けて、パーソナルコンピュータを有線接続して、パーソナルコンピュータを用いて上記設定を変更してもよい。
【００２０】
また、記憶装置９は、クラウドサービスを用いてもよい。この場合は、このクラウドサービスを利用するために必要なデータを、ビーコン７から送信する。
【００２１】
本発明は、上述の実施例に限定されるものではなく、例えば、記憶装置を複数設けて、夫々の対応するＵＲＬを全て送信して、利用者にそのＵＲＬの中から筆記情報を記憶させる装置を選択させるようにしてもよい。尚、ＳＮＳやクラウドサービスを利用する場合は、これらのＵＲＬは既知のため、予めアプリケーションに登録しておく。
また、選択したＵＲＬとワンタイムパスワードを、利用者が登録した任意のアドレスに自動送信してもよい。
【００２２】
［第２実施形態］
本発明の第２実施形態に係る筆記情報管理システムについて、説明する。図４は、第２実施形態に係る筆記情報管理システムの全体構成を示すブロック図である。図４に示すように、筆記情報管理システムは、ビーコン７と、携帯端末８と、記憶装置９とを備える。ここで、携帯端末８は、複数あることを前提に、省略して説明する。ビーコン７と携帯端末８とは、無線通信を利用して接続される。また、携帯端末８と記憶装置９とは、無線通信を利用し又は携帯端末用基地局を介して接続される。
【００２３】
（ビーコン７）
ビーコン７は、ＣＰＵ７１と、通信部７２と、ＲＯＭ７３と、ＲＡＭ７４とを備える。
【００２４】
ＣＰＵ７１は、ＲＯＭ７３に記憶されるプログラムに基づき、データ又は情報を処理する。ＣＰＵ７１は、所定時間毎に、ＲＯＭ７３に記憶されている複数のＵＲＬ情報のうち、１のＵＲＬ情報を読み出し、通信部７２にＵＲＬ情報を送信する。
【００２５】
通信部７２は、ＣＰＵ７１によって送信されたＵＲＬ情報を、無線通信を利用して送信する。
【００２６】
ＲＯＭ７３は、プログラムと複数のＵＲＬ情報とを記憶する。ＵＲＬ情報は、後述する記憶装置９のＲＯＭ９３に備えられた各記憶領域を示すアドレス情報である。
【００２７】
ＲＡＭ７４は、ＣＰＵ７１により読み出された１のＵＲＬ情報を一時的に記憶する。
【００２８】
（携帯端末８）
携帯端末８は、ＣＰＵ８１と、通信部８２と、カメラ８３と、画像処理部８４と、表示部８５と、タッチパネル部８６と、入力制御部８７と、ＲＯＭ８８と、ＲＡＭ８９と、を備える。
【００２９】
ＣＰＵ８１は、ＲＯＭ８８に記憶されている各種プログラムに基づいてデータ又は情報を処理する。ＣＰＵ８１は、入力制御部８７から送信された操作データを各種プログラムに基づき処理し、画像処理部８４と、通信部８２と、に各種処理を指令する。
【００３０】
通信部８２は、ＣＰＵ８１から送信された指令に基づきデータ又は情報を、無線通信を利用し又は携帯端末用基地局を介して記憶装置９に送信する。
【００３１】
カメラ８３は、光電変換する撮像素子と、撮像素子を格納する筐体と、レンズなどの機構と、を備える。ＣＰＵ８１の指令により対象物の撮像をフレーム毎に撮像データに変換し、撮像データを画像処理部８４に送信する。  
【００３２】
画像処理部８４は、カメラ８３から送信された撮像データを画像データに変換し、ＣＰＵ８１に送信する。また、画像処理部８４は、ＣＰＵ８１から送信された指令と画像データとに従い、表示部８５に画像を送信し、表示部８５に画像を表示させる。
【００３３】
表示部８５は、画像処理部８４から送信された画像を表示する。表示部８５は、タッチパネル部８６と共にユニット化して構成される。
【００３４】
タッチパネル部８６は、既存の抵抗膜方式を採用している。タッチパネル部８６は上部基板と下部基板とを備え、上部基板で検出されたＸ座標データと、下部基板で検出されたＹ座標データとを、入力制御部８７に送信する。
【００３５】
入力制御部８７は、タッチパネル部８６から送信されたＸ座標データと、Ｙ座標データとに基づき、操作データに変換し、ＣＰＵ８１に送信する。
【００３６】
ＲＯＭ８８は、各種プログラム、筆記情報管理用アプリケーションプログラム、及び携帯端末識別情報を記憶する。筆記情報管理用アプリケーションプログラムは、筆記ボードに記載された筆記画像をカメラ８３で撮像し、筆記画像を示す画像データを記憶装置９に保存するためのプログラムである。
【００３７】
ＲＡＭ８９は、各種記憶領域を備え、ＲＯＭ８８に記憶される各種プログラムを実行するにあたって、データ又は情報を一時記憶する。
【００３８】
（記憶装置９）
記憶装置９は、ＣＰＵ９１と、通信部９２と、ＲＯＭ９３と、ＲＡＭ９４とを備える。
【００３９】
ＣＰＵ９１は、ＲＯＭ９３に記憶されている各種プログラムに基づいてデータ又は情報を処理する。
【００４０】
通信部９２は、携帯端末８から送信されたデータ又は情報をＣＰＵ９１に送信する。
【００４１】
ＲＯＭ９３は、各種プログラムを記憶する。また、ＲＯＭ９３は、ＵＲＬ情報が示すアドレス毎に各記憶領域が備えられる。また、テーブルが各記憶領域に備えられる。テーブルは、ＵＲＬ情報と、パスワード情報と、携帯端末識別情報とを含む。
【００４２】
ＲＡＭ９４は、各種記憶領域を備え、ＲＯＭ９４に記憶される各種プログラムを実行するにあたって、データ又は情報を一時記憶する。
【００４３】
＜第２実施形態の動作及び作用＞
第２実施形態の動作及び作用について、図５と図６とを参照して説明する。図５と図６とにおいて、ステップＳＡ０１の処理は、ビーコン７のＣＰＵ７１の処理を示す。図５と図６とにおいて、ステップＳＢ０１からステップＳＢ０７までの処理は、第１携帯端末８のＣＰＵ８１の処理を示す。図５と図６とにおいて、ステップＳＣ０１からステップＳＣ０８までの処理は、記憶装置９のＣＰＵ９１の処理を示す。図５と図６とにおいて、ステップＳＤ０１からＳＤ０６までの処理は、第２携帯端末８のＣＰＵ８１の処理を示す。
【００４４】
ビーコン７において、ＵＲＬ情報が送信される（ステップＳＡ０１）。具体的には、ビーコン７の電源が入った時点から所定時間毎にビーコン７からＵＲＬ情報が、無線通信を利用して送信される。
【００４５】
第１携帯端末８において、ＵＲＬ情報が受信されたか否かが判断される（ステップＳＢ０１）。具体的には、所定時間毎にＵＲＬ情報が受信されたか否かが判断される。ＵＲＬ情報が受信されたと判断される場合（ＳＢ０１：Ｙｅｓ）、第１携帯端末８が、ビーコン７からのＵＲＬ情報を受信する距離内に存在することを示し、処理がステップＳＢ０２に進められる。ＵＲＬ情報が受信されていないと判断される場合（ＳＢ０１：Ｎｏ）、処理が繰り返される。
【００４６】
アプリケーションプログラムが起動されたか否かが判断される（ステップＳＢ０２）。具体的には、利用者が表示部８５に表示された筆記情報管理用アプリケーションプログラムを示すアイコンをタッチ操作したことで、タッチパネル部８６によりＸ座標データとＹ座標データとが入力制御部８７に送信される。入力制御部８７によってＸ座標データとＹ座標データとが、操作データに変換され、操作データがＣＰＵ８１に送信される。操作データに従って、筆記情報管理用アプリケーションプログラムが起動されたか否かが判断される。アプリケーションプログラムが起動されたと判断される場合（ＳＢ０２；Ｙｅｓ）、処理がステップＳＢ０３に進められる。アプリケーションプログラムが起動されていないと判断される場合（ＳＢ０２：Ｎｏ）、処理が繰り返される。
【００４７】
撮影指示が取得されたか否かが判断される（ステップＳＢ０３）。具体的には、筆記情報管理用アプリケーションプログラムが起動され、表示部８５に表示された画像のうち、利用者が撮影を指示する操作ボタンをタッチ操作したことで、タッチパネル８６によりＸ座標データとＹ座標データとが入力制御部８７に送信される。入力制御部８７によってＸ座標データとＹ座標データとが、操作データに変換され、操作データがＣＰＵ８１に送信される。操作データに従って撮影指示が取得されたか否かが判断される。撮影指示が取得されたと判断される場合（ステップＳＢ０３：Ｙｅｓ）、処理がステップＳＢ０４に進められる。撮影指示が取得されていないと判断される場合（ステップＳＢ０４：Ｎｏ）、処理が繰り返される。
【００４８】
撮影が実行される（ステップＳＢ０４）。具体的には、ステップＳＢ０３において取得された撮影指示に従い、筆記画像を示す撮像がカメラ８３において撮像データに変換され、撮像データが画像処理部８４に送信される。撮像データが画像処理部８４において画像データに変換され、ＣＰＵ８１に送信される。ＣＰＵ８１によって画像データがＲＯＭ８８に記憶される。
【００４９】
アップロードの指示が取得されたか否かが判断される（ステップＳＢ０５）。具体的には、表示部８５に表示された画像のうち、利用者が、画像データをステップＳＢ０１で受信されたＵＲＬ情報が示す記憶領域にアップロードを指示する操作ボタンを、タッチ操作したことで、タッチパネル８６によりＸ座標データとＹ座標データとが、入力制御部８７に送信される。入力制御部８７によってＸ座標データとＹ座標データとが、操作データに変換され、操作データがＣＰＵ８１に送信される。操作データに従ってアップロードの指示が取得されたか否かが判断される。アップロードの指示が取得されたと判断される場合（ステップＳＢ０５：Ｙｅｓ）、処理がステップＳＢ０６に進められる。アップロードの指示が取得されていないと判断される場合（ステップＳＢ０５：Ｎｏ）、処理が繰り返される。
【００５０】
パスワード情報が生成される（ステップＳＢ０６）。具体的には、アップロードの指示が取得されたことに従って、パスワード情報が生成され、ＲＡＭ８９に一時記憶される。このパスワードにおいては、所定時間毎に変化するワンタイムパスワードが望ましい。
【００５１】
画像データとパスワード情報とＵＲＬ情報とが送信される（ステップＳＢ０７）。具体的には、ＲＯＭに８８に記憶された画像データと、ＲＡＭ８９に記憶されたパスワード情報と、ステップＳＢ０１で受信したＵＲＬ情報と、が読み出され、通信部８２に送信される。通信部８２は、画像データとパスワード情報とＵＲＬ情報とを記憶装置９に送信する。
【００５２】
記憶装置９において、画像データとパスワード情報とＵＲＬ情報とが受信されたか否かが判断される（ステップＳＣ０１）。具体的には、携帯端末８の通信部８２によって送信された画像データとパスワード情報とＵＲＬ情報とが、記憶装置９の通信部９２に受信され、ＣＰＵ９１に送信される。画像データとパスワード情報とＵＲＬ情報とが受信されたか否かが判断される。画像データとパスワード情報とＵＲＬ情報とが受信されたと判断される場合（ステップＳＣ０１：Ｙｅｓ）、処理がステップＳＣ０２に進められる。画像データとパスワード情報とＵＲＬ情報とが受信されていないと判断される場合（ステップＳＣ０１：Ｎｏ）、処理が繰り返される。
【００５３】
パスワード情報とＵＲＬ情報とが記憶される（ステップＳＣ０２）。具体的には、ＲＯＭ９３に備えられたＵＲＬ情報が示す記憶領域に画像データが記憶され、記憶領域に記憶されたテーブルに、ＵＲＬ情報とパスワード情報とが関連付けて記憶される。
【００５４】
第２携帯端末８において、ＵＲＬ情報が受信されたか否かが判断される（ステップＳＤ０１）。具体的には、所定時間毎にＵＲＬ情報が受信されたか否かが判断される。ＵＲＬ情報が受信されたと判断される場合（ＳＤ０１：Ｙｅｓ）、第２携帯端末８が、ビーコン７からのＵＲＬ情報を受信する距離内に存在することを示し、処理がステップＳＤ０２に進められる。ＵＲＬ情報が受信されていないと判断される場合（ＳＢ０１：Ｎｏ）、処理が繰り返される。
【００５５】
アクセス指示が取得されたか否かが判断される（ステップＳＤ０２）。具体的には、表示部８５に表示された画像のうち、利用者が、ＵＲＬ情報が示す記憶領域にアクセスを指示する操作ボタンをタッチ操作したことで、タッチパネル８６によりＸ座標データとＹ座標データとが入力制御部８７に送信される。入力制御部８７によってＸ座標データとＹ座標データとが、操作データに変換され、操作データがＣＰＵ８１に送信される。操作データに従ってアクセス指示が取得されたか否かが判断される。アクセス指示が取得されたと判断される場合（ステップＳＤ０２：Ｙｅｓ）、処理がステップＳＤ０３に進められる。アクセス指示が取得されていないと判断される場合（ステップＳＤ０２：Ｎｏ）、処理が繰り返される。
【００５６】
パスワード設定画面が表示される（ステップＳＤ０３）。具体的には、表示部８５にパスワードを入力するための画面が表示される。
【００５７】
パスワード情報が取得されたか否かが判断される（ステップＳＤ０４）。具体的には、表示部８５に表示されたパスワード設定画面に対して、利用者が操作ボタンをタッチ操作したことで、タッチパネル８６によりＸ座標データとＹ座標データとが入力制御部８７に送信される。入力制御部８７によってＸ座標データとＹ座標データとが、操作データに変換され、操作データがＣＰＵ８１に送信される。操作データに従ってパスワード情報が取得されたか否かが判断される。パスワード情報が取得されたと判断される場合（ステップＳＤ０４：Ｙｅｓ）、処理がステップＳＤ０５に進められる。パスワード情報が取得されていないと判断される場合（ステップＳＤ０４：Ｎｏ）、処理が繰り返される。
【００５８】
パスワード情報と携帯端末識別情報とＵＲＬ情報とが送信される（ステップＳＤ０５）。具体的には、ステップＳＤ０４で取得されたパスワード情報と、ＲＯＭ８８に予め記憶された携帯端末識別情報と、ステップＳＤ０１で受信したＵＲＬ情報と、が読み出され、通信部８２によって、記憶装置９の通信部９２に送信される。
【００５９】
記憶装置９において、パスワード情報と携帯端末識別情報とＵＲＬ情報とが受信されたか否かが判断される（ステップＳＣ０３）。具体的には、記憶装置９の通信部９２によって受信されたパスワード情報と携帯端末識別情報とＵＲＬ情報とがＣＰＵ９１に送信され、パスワード情報と携帯端末識別情報とＵＲＬ情報とが受信されたか否かが判断される。パスワード情報と携帯端末識別情報とＵＲＬ情報とが受信されたと判断される場合（ステップＳＣ０３）、処理がステップＳＣ０４に進められる。パスワード情報と携帯端末識別情報とＵＲＬ情報とが受信されていないと判断される場合（ステップＳＣ０３）、処理が繰り返される。
【００６０】
ＵＲＬ情報とパスワード情報とが一致しているのか否かが判断される（ステップＳＣ０４）。具体的には、ステップＳＣ０３において受信されたＵＲＬ情報とパスワード情報とが、ステップＳＣ０２においてテーブルに関連付けて記憶されたＵＲＬ情報とパスワード情報とに一致するか否かが判断される。ステップＳＣ０３において受信されたＵＲＬ情報とパスワード情報とが一致すると判断される場合（ステップＳＣ０４）、処理がステップＳＣ０５に進められる。ＵＲＬ情報とパスワード情報とが一致しないと判断される場合（ステップＳＣ０４）、処理がステップＳＣ０８に進められる。
【００６１】
携帯端末識別情報が記憶されているか否かが判断される（ステップＳＣ０５）。具体的には、ステップＳＣ０３において受信された携帯端末識別情報が、ＲＯＭ９３に備えられた記憶領域に記憶されたテーブルのＵＲＬ情報に関連付されて記憶されているか否かが判断される。携帯端末識別情報が記憶されていると判断される場合（ステップＳＣ０５）、処理がステップＳＣ０８に進められる。携帯端末識別情報が記憶されていないと判断される場合（ステップＳＣ０５）、処理がステップＳＣ０６に進められる。
【００６２】
携帯端末識別情報が記憶される（ステップＳＣ０６）。具体的には、ステップＳＣ０３において受信された携帯端末識別情報が、ＲＯＭ９３に備えられた記憶領域に記憶されたテーブルのＵＲＬ情報に関連付されて記憶される。
【００６３】
ＵＲＬ情報が示す記憶領域に記憶された画像データが送信される（ステップＳＣ０７）。具体的には、ＲＯＭ９３に備えられたＵＲＬ情報が示す記憶領域に記憶された画像データが読み出され、通信部９２に送信される。通信部９２は画像データを、第２携帯端末８に送信する。
【００６４】
エラー情報が送信される（ステップＳＣ０８）。具体的には、ＲＯＭ９３に記憶されたパスワード情報が一致しない旨のエラー情報又は過去に送信した旨のエラー情報が読み出され、通信部９２に送信される。通信部９２は、パスワード情報が一致しない旨のエラー情報又は過去に送信した旨のエラー情報を、第２携帯端末８に送信する。
【００６５】
第２携帯端末８において、表示部８５に画像が表示される（ステップＳＤ０６）。具体的には、ステップＳＣ０７又はステップＳＣ０８によって送信された画像データ又はエラー情報に従って、画像が表示される。
【００６６】
＜第２実施形態の効果＞
本発明の第２実施形態によれば、テーブルのＵＲＬ情報に関連付けて携帯端末識別情報が記憶される。携帯端末識別情報がＵＲＬ情報に関連付けて記憶されていないときに、その携帯端末識別情報をＵＲＬ情報に関連付けて記憶し、その携帯端末識別情報の第２携帯端末８に画像データを送信する。
【００６７】
これにより、１度画像データを送信した第２携帯端末に、再度画像データを送信しないことにより、携帯端末の紛失により所有者以外の利用者からのアクセスにより画像データが漏洩されることを防止し、画像データのセキュリティー性を向上させることができる。
【産業上の利用可能性】
【００６８】
本発明は、ホワイトボードの筆記情報の管理システムに関するものであり、筆記情報を共
有するために記憶装置のＵＲＬを、ビーコンを用いて自動送信することによって、簡単に
筆記情報を保存し、また読み込むことが可能となる。
また、記憶装置にアクセスするためのパスワード等の管理を行うことなく簡単に秘密情報
の管理を行うことが可能な筆記情報管理システムを提供するものである。
【符号の説明】
【００６９】
１：ホワイトボード本体
２：筆記面
７：ビーコン
８：携帯端末
９：記憶装置
【図１】
2017215944.tif 000003
【図２】
2017215944.tif 000004
【図３】
2017215944.tif 000005
【図４】
2017215944.tif 000006
【図５】
2017215944.tif 000007
【図６】
2017215944.tif 000008